(57)【要約】【課題】ディスコやクラブのＤＪの演出が、いろんな場所で経済的に出来る、オーディオ機器を提供する。【解決手段】ディスコやクラブのＤＪブースにある大きなオーディオ機器の機能を搭載したコンパクトで持ち運びが出来るＣＤラジカセサイズのオーディオ機器を考案した。【選択図】　　　図１
0003099339.tif 000002
【実用新案登録請求の範囲】
【請求項１】
ディスコやクラブのＤＪブースにあるオーディオ機器の機能を搭載した、コンパクトで持ち運びの出来る、ＣＤラジカセサイズのオーディオ機器。
【請求項２】
上記のＤＪ・ＭＣ・ＣＤラジカセの持ち運び取っ手部分に内蔵された、ステレオのライトとレフトが２５ｃｍ切りはなして付けてある、マイク。
【請求項３】
上記のＤＪ・ＭＣ・ＣＤラジカセを操作する時に、ＤＪ・ＭＣ・ＣＤラジカセがすべって動かないようにするため、下面の四角に付けてある、すべり止めゴム。
【考案の詳細な説明】
【０００１】
【考案の属する技術分野】
本考案は、ディスコやクラブのＤＪ（ディスクジョッキーや、曲を選曲して流す作業）さながらの操作と演出をするための、ＣＤラジカセサイズのオーディオ機器に関するものである。
【０００２】
【従来の技術】
ディスコやクラブのＤＪブースにある、オーディオシステムは、ＣＤプレーヤーやＬＰレコードプレーヤーやミキサーを含め、約８０ｃｍから１ｍ四方のスペースに、オーディオ機器がそなえてあり、それを操作するための台もあるため、かなり大きいという事と重いという事とあと配線が大きなスピーカーに接続してあるため、パーティーなどで、ＤＪブースのオーディオシステムを、移動する作業は、かなり大変だった。
【０００３】
【考案が解決しようとする課題】
しかしながら、パーティーなどで、ちょっとしたスタジオや店や家庭でディスコやクラブのＤＪのような演出をしようとすると、従来のＤＪブースは、備え付けるのに、人手がけっこういりＣＤプレーヤーやＬＰプレーヤーや、ミキサー、それをのせるための台やスピーカーなどで場所をとり、人手にお金がかかったりするという問題点があった。
【０００４】
本考案は、このような従来の問題を解決するものであり、ＤＪの演出を、小さなスタジオや店や家庭又、大きな体育館などで、経済的に行うことが出来る、オーディオ機器を提供することが出来る。
【０００５】
【課題を解決するための手段】
本考案は、ディスコやクラブにあるＤＪブースのオーディオ機器のシステムを持ち運びの出来るＣＤラジカセに搭載したオーディオ機器を提供することで、上記問題を解決したものである。
【０００６】
【考案の実施の形態】
本考案のＤＪ・ＭＣ・ＣＤラジカセは、図１のように主として、（Ａ）・（Ｂ）２つのＣＤプレーヤーとまん中に（Ｃ）音合成回路クロスセイダーが付いたミキサーが搭載されていて、ＣＤプレーヤー（Ａ）とＣＤプレーヤー（Ｂ）のどちらか又は、両方いっしょにＣＤをかけて曲を流せれる様になっていて、その音量を（Ｇ）ボリュームで調節出来る。又、主音声とは別に（Ａ）・（Ｂ）どちらかのＣＤプレーヤー演奏中もう一つにかかっているＣＤが今どんな曲でどのへんが流れているのかを知るために、ＣＤプレーヤー（Ａ）とＣＤプレーヤー（Ｂ）のどちらも聞き分けられる（Ｄ）聞き分けスイッチが付いた（Ｅ）ヘッドホンが搭載されていて主音声のボリュームに関係なく一定のヘッドホンのボリュームで聞けるようになっている。又、持ち運び取っ手にステレオマイクの（Ｋ）（ステレオのＲを入れるマイク）と（Ｆ）（ステレオのＬを入れるマイク）が相方２５ｃｍはなして内蔵されている。
【０００７】
以上が各部所の説明で使い方は、まず（Ｈ）電源を入れ（Ｇ）ボリュームを無音まで下げておく、そこでＣＤプレーヤー（Ａ）とＣＤプレーヤー（Ｂ）の（Ｌ）と（Ｑ）を押しとびらを開き両方にＣＤを入れ、ＣＤプレーヤー（Ａ）の（Ｍ）とＣＤプレーヤー（Ｂ）の（Ｒ）両方プレイ（演奏）にして、ＣＤプレーヤー（Ａ）で演奏されている曲を流す場合は、（Ｃ）音合成回路クロスセイダーのつまみをＣＤプレーヤー（Ａ）の方によせる。
ＣＤプレーヤー（Ｂ）で演奏されている曲を流す場合は、（Ｃ）クロスセイダーのつまみをＣＤプレーヤー（Ｂ）の方によせる。
ＣＤプレーヤー（Ａ）で演奏されている曲とＣＤプレーヤー（Ｂ）で演奏されている曲をミックスさせて同時に流したい場合は、（Ｃ）音合成回路クロスセイダーのつまみを中央におくようにして、主音声の（Ｇ）ボリュームを上げれば、ＣＤプレーヤー（Ａ）に入れたＣＤの曲とＣＤプレーヤー（Ｂ）に入れたＣＤの曲のどちらか又は、両方いっしょに音が出て曲が演奏されるようにしておく。
そこで、（Ｅ）ヘッドホンを耳にあて（Ｄ）聞き分けスイッチをＣＤ（Ａ）かＣＤ（Ｂ）に切り替えながら聞き分け、ＣＤプレーヤー（Ａ）・ＣＤプレーヤー（Ｂ）のどちらかが演奏するどの曲のどのへんが演奏されているかを把握しておいて、この曲のここの所から音を出し曲を流したいと思った時に、（Ｇ）のボリュームを適当な高さに上げて（Ｉ）スピーカーから音を出して曲を流し始める。
【０００８】
次に、通常のＤＪの技術としてＣＤプレーヤー（Ａ）のＣＤを演奏していて、流している曲が終わりに近づこうとしていて、この次にこのＣＤのこの曲のこの部分から演奏して曲を流したいという時に、ＣＤプレーヤー（Ａ）で流れている曲が終わらないうちに、ＣＤプレーヤー（Ｂ）に演奏したいＣＤを入れて（Ｒ）を押し、プレイにしておいて、（Ｅ）ヘッドホンを耳にあて（Ｄ）聞き分けスイッチをＣＤ（Ｂ）にして、ＣＤプレーヤー（Ｂ）で演奏されている曲を聞きながら、次にこの曲のこの部分の音でＣＤプレーヤー（Ａ）の演奏からＣＤプレーヤー（Ｂ）の演奏へと曲をつないでいこうという部分を（Ｚ）早送りや（Ｘ）戻りを駆使してさがして（Ｙ）の一時停止で止めておき、ＣＤプレーヤー（Ａ）で流れている曲が終わると同時に（Ｃ）クロスセイダーをＣＤプレーヤー（Ｂ）の方によせる作業と（Ｙ）の一時停止を解除する作業を同時に行いＣＤプレーヤー（Ａ）の演奏からＣＤプレーヤー（Ｂ）の演奏へと曲をつないで流すという技術を使うことが出来る。以上の作業を同じように、ＣＤプレーヤー（Ｂ）からＣＤプレーヤー（Ａ）へと曲をつなぐことも出来る。
【０００９】
又、ＣＤプレーヤーを演奏して曲を流し始める前や、曲を流している途中、場を盛り上げたり、曲の雰囲気をより良くするためのトーク（ＭＣ）を入れるためのステレオマイクの、（Ｋ）Ｒマイク（Ｆ）Ｌマイクが持ち運び取っ手に内蔵されてあり、必要な時に持ち運び取っ手を上げて２つの（Ｋ）（Ｆ）ステレオマイクで自由にＭＣを入れることが出来る。
【００１０】
又、普通に一方のＣＤプレーヤーが演奏して流れている曲から、もう一方のＣＤプレーヤーの演奏して流れている曲になめらかに一方をフェードインしてもう一方をフェードアウトして曲をつなげたい場合は、音合成回路クロスセイダーをどちらかのＣＤプレーヤーの方にゆっくりと移動させれば良い。
【００１１】
そして、ＤＪ・ＭＣ・ＣＤラジカセから出る最大音量がものたりない場合は、（Ｊ）外分出力ステレオ端子を利用して外分のアンプ付きの大きな音が出るステレオスピーカーに接続して音を大きくして流すことも出来る。
【００１２】
又、ＤＪの操作中、ＤＪ・ＭＣ・ＣＤラジカセがすべって動かないように、ＤＪ・ＭＣ・ＣＤラジカセの底の面の四角に、（Ｓ）すべり止めゴムが付けてある。
【００１３】
又、バッテリーとして通常のコンセントと別に単１電池が８本が搭載出来るようになっている。
【図面の簡単な説明】
【図１】本考案に係る、ＤＪ・ＭＣ・ＣＤラジカセの構成を示す外観図である。
【図２】本考案に係る、ＤＪ・ＭＣ・ＣＤラジカセの機能を示す図である。
【符号の説明】
（Ａ）ＣＤプレーヤー（Ａ）
（Ｂ）ＣＤプレーヤー（Ｂ）
（Ｃ）クロスセイダー（音合成回路）
（Ｄ）聞き分けスイッチ
（Ｅ）ヘッドホン
（Ｆ）ステレオマイクＬ
（Ｇ）ボリューム
（Ｈ）電源
（Ｉ）スピーカー（ステレオ）
（Ｊ）外分出力ステレオ端子
（Ｋ）ステレオＲマイク
（Ｌ）ＣＤプレーヤー（Ａ）のＣＤ入れ口開きボタン
（Ｍ）ＣＤプレーヤー（Ａ）プレイボタン
（Ｎ）ＣＤプレーヤー（Ａ）戻しボタン
（Ｏ）ＣＤプレーヤー（Ａ）一時停止ボタン
（Ｐ）ＣＤプレーヤー（Ａ）早送りボタン
（Ｒ）ＣＤプレーヤー（Ｂ）プレイボタン
（Ｘ）ＣＤプレーヤー（Ｂ）戻しボタン
（Ｙ）ＣＤプレーヤー（Ｂ）一時停止ボタン
（Ｚ）ＣＤプレーヤー（Ｂ）早送りボタン
（Ｓ）スベリ止めゴム
【図１】
0003099339.tif 000003
【図２】
0003099339.tif 000004
【手続補正書】
【提出日】平成15年5月20日(2003.5.20)
【手続補正１】
【補正対象書類名】明細書
【補正対象項目名】実用新案登録請求の範囲
【補正方法】変更
【補正の内容】
【実用新案登録請求の範囲】
【請求項１】
ディスコやクラブのＤＪブースにあるオーディオ機器の機能のうち、二つのＣＤプレーヤーと真ん中にクロスセイダーが付いたミキサーが搭載されていて、どちらかのＣＤ又は、両方一緒にＣＤをかけて曲を流せる様になっていて、どちらかのＣＤプレーヤー演奏中にもう一つのＣＤプレーヤーにかかっているＣＤが今どんな曲なのかを知るために二つのＣＤプレーヤーが聞き分けられる、聞き分けスィッチが付いたヘッドホンと演奏中トークや歌を入れるためのマイクを搭載した、コンパクトで持ち運びが出来る、ＣＤラジカセサイズのオーディオ機器。
【請求項２】
ＣＤラジカセの持ち運び取っ手部分に内蔵された、ステレオのライトとレフトが２５ｃｍ切り離して付けてあるマイクの付いたオーディオ機器。
【請求項３】
操作する時にすべって動かないようにするため、下面の四角に付けてある滑り止めゴムの付いた、ＣＤラジカセサイズのオーディオ機器。
【手続補正２】
【補正対象書類名】明細書
【補正対象項目名】０００５
【補正方法】変更
【補正の内容】
【０００５】
【課題を解決するための手段】
本考案は、ディスコやクラブにあるＤＪブースの約８０ｃｍから１ｍ四方に備えられているオーディオ機器のシステムの主要部分を、できるだけコンパクトにして持ち運びの出来るＣＤラジカセに搭載したオーディオ機器を提供することで、上記問題を解決したものである。


【手続補正３】
【補正対象書類名】明細書
【補正対象項目名】０００６
【補正方法】変更
【補正の内容】
【０００６】
【考案の実施の形態】
本考案のＤＪ・ＭＣ・ＣＤラジカセは、図１のように主として、（Ａ）・（Ｂ）２つのＣＤプレーヤーとまん中に（Ｃ）クロスセイダーが付いたミキサーが搭載されていて、ＣＤプレーヤー（Ａ）とＣＤプレーヤー（Ｂ）のどちらか又は、両方いっしょにＣＤをかけて曲を流せる機能を持っていて、その音量を（Ｇ）ボリュームで調節出来る。又、主音声とは別に（Ａ）・（Ｂ）どちらかのＣＤプレーヤー演奏中もう一つにかかっているＣＤが今どんな曲でどのへんが流れているのかを知るために、ＣＤプレーヤー（Ａ）とＣＤプレーヤー（Ｂ）のどちらもＣＤが聞き分けられる（Ｄ）聞き分けスイッチが付いた（Ｅ）ヘッドホン２つが搭載されていて主音声のボリュームに関係なく一定のヘッドホンのボリュームで聞けるようになっている。又、持ち運び取っ手にステレオマイクの（Ｋ）（ステレオのＲを入れるマイク）と（Ｆ）（ステレオのＬを入れるマイク）が相方２５ｃｍはなして内蔵されている。


【手続補正４】
【補正対象書類名】明細書
【補正対象項目名】０００７
【補正方法】変更
【補正の内容】
【０００７】
以上が各部所の説明で使い方は、普通のＣＤデッキを操作するのと同じように（Ｈ）電源を入れＣＤプレーヤー（Ａ）とＣＤプレーヤー（Ｂ）の（Ｌ）と（Ｑ）を押しとびらを開き両方にＣＤを入れ、ＣＤプレーヤー（Ａ）の（Ｍ）とＣＤプレーヤー（Ｂ）の（Ｒ）両方プレイ（演奏）にしておく、ＣＤプレーヤー（Ａ）で演奏されている曲を流す場合は、（Ｃ）クロスセイダーのつまみをＣＤプレーヤー（Ａ）の方によせる。
ＣＤプレーヤー（Ｂ）で演奏されている曲を流す場合は、（Ｃ）クロスセイダーのつまみをＣＤプレーヤー（Ｂ）の方によせる。
ＣＤプレーヤー（Ａ）で演奏されている曲とＣＤプレーヤー（Ｂ）で演奏されている曲をミックスさせて同時に流したい場合は、（Ｃ）音合成回路クロスセイダーのつまみを中央におくようにする。そして、主音声の（Ｇ）ボリュームを調節してＣＤの曲を流す。
そこで、（Ｅ）ヘッドホンを耳にあて（Ｄ）聞き分けスイッチをＣＤ（Ａ）かＣＤ（Ｂ）に切り替えながら聞き分け、ＣＤプレーヤー（Ａ）・ＣＤプレーヤー（Ｂ）のどちらかが演奏する曲のどのへんが演奏されているかを把握しておいて、例えば、ＣＤプレーヤー（Ａ）の曲から、ＣＤプレーヤー（Ｂ）の曲に変えたい時に、クロスセイダーのつまみをＣＤプレーヤー（Ｂ）のほうにゆっくりよせて、ＣＤプレーヤー（Ａ）の曲をフェイドアウトし、ＣＤプレーヤー（Ｂ）の曲をフェードインして曲を変えて流すように出来る。




【手続補正書】
【提出日】平成15年6月18日(2003.6.18)
【手続補正１】
【補正対象書類名】明細書
【補正対象項目名】請求項２
【補正方法】変更
【補正の内容】
【請求項２】
ＣＤラジカセ等のコンパクトなオーディオ機器の持ち運びに使う取っ手部分に歌やトークを入れながら、同時にマイクをこすって音を出すために、ステレオマイクのライト部とレフト部のマイクを約２５ｃｍ切り離して内蔵してあるオーディオ機器。
【手続補正２】
【補正対象書類名】明細書
【補正対象項目名】請求項３
【補正方法】変更
【補正の内容】
【請求項３】
クロスセイダーを操作する時に、オーディオ機器が動かないようにするため、オーディオ機器の下面の４端部に滑り止めゴムが着けてあるオーディオ機器。
【手続補正書】
【提出日】平成15年8月26日(2003.8.26)
【手続補正１】
【補正対象書類名】明細書
【補正対象項目名】実用新案登録請求の範囲
【補正方法】変更
【補正の内容】
【実用新案登録請求の範囲】
【請求項１】
ディスコやクラブのＤＪブースにあるオーディオ機器の機能のうち、二つのＣＤプレーヤーと真ん中にクロスセイダーが付いたミキサーが搭載されていて、どちらかのＣＤ又は、両方一緒にＣＤをかけて曲を流せる様になっていて、どちらかのＣＤプレーヤー演奏中にもう一つのＣＤプレーヤーにかかっているＣＤが今どんな曲なのかを知るために二つのＣＤプレーヤーが聞き分けられる、聞き分けスイッチが付いたヘッドホンと演奏中トークや歌を入れるためのマイクを搭載した、コンパクトで持ち運びが出来る、ＣＤラジカセサイズのオーディオ機器．
【請求項２】
ＣＤラジカセ等のコンパクトなオーディオ機器の持ち運びに使う取っ手部分に歌やトークを入れながら、同時にマイクをこすって音を出すために、ステレオマイクのライト部とレフト部のマイクを約２５ｃｍ切り離して内蔵してあることを特長とした請求項１のオーディオ機器。
【請求項３】
クロスセイダーを操作する時に、オーディオ機器が動かないようにするため、オーディオ機器の下面の４端部に滑り止めゴムが着けてある事を特長とした請求項１のオーディオ機器。